(57)【特許請求の範囲】
【請求項１】
スケーラブルな騒音及び振動センサであって、
加速度センサであって、前記加速度センサに作用する加速度を表すセンス信号を発生するように構成された、前記加速度センサと、
前記センス信号を処理して、調整可能な信号帯域幅及び調整可能な信号ダイナミックを有する処理済みセンス信号を供給するように構成されたセンス信号処理モジュールとを備え、
前記信号帯域幅は、前記センス信号の最低周波数と最高周波数との間に亘り、前記信号ダイナミックは、前記センス信号の最大振幅と前記加速度センサによって発生される出力ノイズフロアとの比であり、
前記センス信号処理モジュールは、前記信号ダイナミックが減少するときに前記信号帯域幅が増加するように、また、その逆になるように制御信号に従って前記信号帯域幅及び前記信号ダイナミックを調整するように更に構成されている、前記センサ。
【請求項２】
前記センス信号処理モジュールは、前記信号帯域幅と前記信号ダイナミックとの積が一定であるように前記信号帯域幅及び前記信号ダイナミックを調整するように更に構成されている、請求項１に記載のセンサ。
【請求項３】
前記センス信号処理モジュールは、
前記加速度センサの下流の第１のバンドパスフィルタモジュールであって、調整可能な第１のフィルタ帯域幅を有する、前記第１のバンドパスフィルタモジュールと、
調整可能な利得を有する増幅器モジュールとを備え、
前記第１のフィルタ帯域幅及び前記利得は、前記第１のフィルタ帯域幅が減少するときに前記利得が増加するように、また、その逆になるように調整可能である、請求項１または２に記載のセンサ。
【請求項４】
前記センス信号処理モジュールは、
前記第１のバンドパスフィルタモジュールの下流の第１の信号サンプラーであって、第１のサンプリングレートを有する、前記第１の信号サンプラーと、
前記第１の信号サンプラーの下流の第１のアナログ・デジタル変換器であって、第１のビット数を有する第１のデジタル処理済みセンス信号を供給するように構成された、前記第１のアナログ・デジタル変換器とを更に備える、請求項３に記載のセンサ。
【請求項５】
前記第１のサンプリングレート及び前記第１のビット数の少なくとも一方は調整可能であり、前記第１のサンプリングレート及び／または前記第１のビット数は、前記第１のフィルタ帯域幅が減少するときに前記第１のサンプリングレート及び／または前記第１のビット数が増加するように、また、その逆になるように、調整可能である、請求項４に記載のセンサ。
【請求項６】
前記センス信号処理モジュールは、
前記加速度センサの下流の第２のバンドパスフィルタモジュールであって、調整可能な第２のフィルタ帯域幅を有する、前記第２のバンドパスフィルタモジュールと、
前記第２のバンドパスフィルタモジュールの下流の第２の信号サンプラーであって、第２のサンプリングレートを有する、前記第２の信号サンプラーと、
前記第２の信号サンプラーの下流の第２のアナログ・デジタル変換器であって、第２のビット数を有する第２のデジタル処理済みセンス信号を供給するように構成された、前記第２のアナログ・デジタル変換器とを備え、
前記第２のサンプリングレート及び前記第２のビット数の少なくとも一方は調整可能であり、前記第２のサンプリングレート及び／または前記第２のビット数は、前記第２のフィルタ帯域幅が減少するときに前記第２のサンプリングレート及び／または前記第２のビット数が増加するように、また、その逆になるように、調整可能である、請求項１または２に記載のセンサ。
【請求項７】
前記センス信号処理モジュールは、前記第１のアナログ・デジタル変換器または前記第２のアナログ・デジタル変換器の下流の並列・直列データ変換器を更に備える、請求項１〜６のいずれか１項に記載のセンサ。
【請求項８】
ロードノイズ相殺システム、エンジンノイズ制御システム、及び請求項１〜７のいずれか１項に記載の騒音及び振動センサを備える騒音相殺配置構成であって、前記騒音及び振動センサは、前記ロードノイズ相殺システム及び前記エンジンノイズ制御システムに接続されている、前記騒音相殺配置構成。
【請求項９】
騒音及び振動検知方法であって、
加速度センサによって、前記加速度センサに作用する加速度を表すセンス信号を発生すること、及び、
前記センス信号を処理することであって、それにより、調整可能な信号帯域幅及び調整可能な信号ダイナミックを有する処理済みセンス信号を供給する、前記処理することを含み、
前記信号帯域幅は、前記センス信号の最低周波数と最高周波数との間に亘り、前記信号ダイナミックは、前記センス信号の最大振幅と前記加速度センサによって発生される出力ノイズフロアとの比であり、
前記方法は、前記信号ダイナミックが減少するときに前記信号帯域幅が増加するように、また、その逆になるように制御信号に従って前記信号帯域幅及び前記信号ダイナミックを調整することを更に含む、前記方法。
【請求項１０】
前記センス信号を処理することは、前記信号帯域幅と前記信号ダイナミックとの積が一定に維持されるように前記信号帯域幅及び前記信号ダイナミックを調整することを含む、請求項９に記載の方法。
【請求項１１】
前記センス信号を処理することは、
前記加速度センサの下流側の、調整可能な第１のフィルタ帯域幅による第１のバンドパスフィルタリングと、
調整可能な利得による信号増幅とを含み、
前記第１のフィルタ帯域幅及び前記利得は、前記第１のフィルタ帯域幅が減少するときに前記利得が増加するように、また、その逆になるように調整可能である、請求項９または１０に記載の方法。
【請求項１２】
前記センス信号を処理することは、
前記第１のバンドパスフィルタリングの下流側の第１のサンプリングレートによる第１の信号サンプリングと、
前記第１の信号サンプリングの下流側の第１のアナログ・デジタル信号変換であって、第１のビット数を有する第１のデジタル処理済みセンス信号を供給するように構成された、前記第１のアナログ・デジタル信号変換とを含む、請求項１１に記載の方法。
【請求項１３】
前記第１のサンプリングレート及び前記第１のビット数の少なくとも一方は調整可能であり、前記第１のサンプリングレート及び／または前記第１のビット数は、前記第１のフィルタ帯域幅が減少するときに前記第１のサンプリングレート及び／または前記第１のビット数が増加するように、また、その逆になるように、調整可能である、請求項１２に記載の方法。
【請求項１４】
前記センス信号を処理することは、
前記加速度センサの下流側の第２のバンドパスフィルタリングであって、調整可能な第２のフィルタ帯域幅を有する、前記第２のバンドパスフィルタリングと、
前記第２のバンドパスフィルタリングの下流側の第２のサンプリングレートによる第２の信号サンプリングと、
前記第２の信号サンプリングの下流側の第２のアナログ・デジタル信号変換であって、第２のビット数を有する第２のデジタル処理済みセンス信号を供給するように構成された、前記第２のアナログ・デジタル信号変換とを更に含み、
前記第２のサンプリングレート及び前記第２のビット数の少なくとも一方は調整可能であり、前記第２のサンプリングレート及び／または前記第２のビット数は、前記第２のフィルタ帯域幅が減少するときに前記第２のサンプリングレート及び／または前記第２のビット数が増加するように、また、その逆になるように、調整可能である、請求項９または１０に記載の方法。
【請求項１５】
前記センス信号を処理することは、前記第１のアナログ・デジタル変換または前記第２のアナログ・デジタル変換の下流側の並列・直列データ変換を更に含む、請求項９〜１４のいずれか１項に記載の方法。
【発明の詳細な説明】
【技術分野】
【０００１】
本開示は、特に能動ロードノイズ制御システム及び能動エンジンノイズ制御システムのためのスケーリング式騒音及び振動検知と、スケーリング式騒音及び振動測定方法とに関する。
【背景技術】
【０００２】
ロードノイズ制御（ＲＮＣ：ｒｏａｄ  ｎｏｉｓｅ  ｃｏｎｔｒｏｌ）技術は、アンチノイズを発生させることによって車（ｃａｒ）の内部の好ましくないロードノイズを低減し、アンチノイズは、低減される音波に対して位相が逆である音波を、自動騒音制御（ＡＮＣ：ａｕｔｏｍａｔｉｃ  ｎｏｉｓｅ  ｃｏｎｔｒｏｌ）技術の場合と同様な方法で発生する。ＲＮＣ技術は、騒音及び振動センサを使用して、タイヤ、車体部品、及び、騒音及び振動をもたらすまたは伝達する粗い道路表面から発生される好ましくない音（騒音）及び振動を拾う。こうした好ましくない音を相殺する結果は、乗車をより心地よくし、車製造業者が軽量シャシ材料を使用することを可能にし、それにより、燃費を増加させ、排気を低減する。エンジンノイズ制御（ＥＮＣ：ｅｎｇｉｎｅ  ｎｏｉｓｅ  ｃｏｎｔｒｏｌ）技術は、エンジン音を表す信号を基準として使用して、車内部で可聴の、エンジン音に対して位相が逆である音波を発生させる。結果として、ＥＮＣは、従来の減衰材料の使用を低減することをより容易にする。両方のシステムにおいて、車内部に取付けられる更なるエラーマイクロフォンは、振幅及び位相に関するフィードバックを供給して、騒音低減効果を洗練させてもよい。しかし、２つの技術は、ロードノイズ及びエンジン関連ノイズならびに振動信号を観測するために、車両構造全体を通して、異なる、非常に特殊な騒音及び振動（Ｎ＆Ｖ）センサ配置構成を必要とする。
【発明の概要】
【課題を解決するための手段】
【０００３】
例示的な、スケーラブルな騒音及び振動センサは、加速度センサであって、加速度センサに作用する加速度を表すセンス信号を発生するように構成された、加速度センサと、センス信号を処理して、調整可能な信号帯域幅及び調整可能な信号ダイナミックを有する処理済みセンス信号を供給するように構成されたセンス信号処理モジュールとを含む。信号帯域幅は、センス信号の最低周波数と最高周波数との間に亘り、信号ダイナミックは、センス信号の最大振幅と加速度センサによって発生される出力ノイズフロアとの比である。センス信号処理モジュールは、信号ダイナミックが減少するときに信号帯域幅が増加するように、また、その逆になるように制御信号に従って信号帯域幅及び信号ダイナミックを調整するように更に構成されている。
【０００４】
例示的な騒音相殺配置構成は、ロードノイズ相殺システムと、エンジンノイズ制御システムと、ロードノイズ相殺システム及びエンジンノイズ制御システムに接続されたスケーラブルな騒音及び振動センサとを含む。
【０００５】
例示的な騒音及び振動検知方法は、加速度センサによって、加速度センサに作用する加速度を表すセンス信号を発生すること、及び、センス信号を処理することであって、それにより、調整可能な信号帯域幅及び調整可能な信号ダイナミックを有する処理済みセンス信号を供給する、処理することを含む。信号帯域幅は、センス信号の最低周波数と最高周波数との間に亘り、信号ダイナミックは、センス信号の最大振幅と加速度センサによって発生される出力ノイズフロアとの比である。本方法は、信号ダイナミックが減少するときに信号帯域幅が増加するように、また、その逆になるように制御信号に従って信号帯域幅及び信号ダイナミックを調整することを更に含む。
【０００６】
本開示は、添付図面に関連して非限定的な実施形態の以下の説明を読むことによってよりよく理解されることができる。添付図面において、同様の要素は、同様の参照番号によって参照される。
【図面の簡単な説明】
【０００７】
【図１】例示的な、単純でスケーラブルな騒音及び振動センサを示す略図である。
【図２】異なるダイナミック及び帯域幅についての帯域幅ダイナミックの関係を示す振幅対周波数の図である。
【図３】ミクストシグナル処理を有する、例示的な、スケーラブルな騒音及び振動センサを示す略図である。
【図４】ミクストシグナル処理を有する、別の例示的な、スケーラブルな騒音及び振動センサを示す略図である。
【図５】ロードノイズ相殺システム、エンジンノイズ制御システム、及びスケーラブルな騒音及び振動センサを含む例示的な騒音相殺配置構成を示す図である。
【図６】例示的な単純な騒音及び振動検知方法のフローチャートである。
【発明を実施するための形態】
【０００８】
本明細書で述べる騒音及び振動センサは、加速度計等の加速度センサ、フォースゲージ、ロードセル等を含んでもよい。例えば、加速度計は、適正な加速度を測定するデバイスである。適正な加速度は、速度の変化率である座標加速度と同じではない。単軸及び多軸モデルの加速度計は、適正な加速度の大きさ及び方向を検出するために利用可能であり、方位、座標加速度、運動、振動、及び衝撃を検知するために使用され得る。
【０００９】
例えば、ＲＮＣシステムまたはＥＮＣシステムで使用するための騒音及び振動センサは、これらのシステムによって設定される異なる要件に対処しなければならない。例えば、ＲＮＣシステムで使用される騒音及び振動センサは、理想的にはこうしたセンサの有意のノイズフロアゆえに、高いダイナミックレンジを示すべきであるが、動作のために広いスペクトル範囲をカバーする必要はない。その理由は、構造伝達騒音が、約５００[Ｈｚ]の高域カットオフ周波数を有する周波数範囲に本質的に制限されるからである。対照的に、ＥＮＣシステムにおいて適用されるセンサは、所望のスペクトルエンジンノイズ成分が、ノイズフロアより明瞭に抜きんでることによって、広いダイナミックレンジで動作する必要がないが、より広いスペクトル範囲をカバーすべきである。その理由は、これらの信号が、ずっと広いスペクトル範囲全体にわたって、例えば、約１．５[ｋＨｚ]以上の高域スペクトルカットオフ周波数を有する周波数範囲に広がるからである。
【００１０】
以下では、その帯域幅・ダイナミック積（ＢＤＰ：ｂａｎｄｗｉｄｔｈ−ｄｙｎａｍｉｃ−ｐｒｏｄｕｃｔ）が調整され得るセンサが述べられ、そのことは、同時に種々のシステムと接続状態にあっても適用可能であるように、スペクトル動作範囲を同時に減少させることによってセンサのダイナミックを増加させることを可能にする、また、その逆になることを可能にすることによってセンサを意味する。デジタルセンサが使用される場合、一定のＢＤＰは、同様に、データフロー内のピークを出来る限り回避すべく、一定のデータレートをもたらすことになる。複数の用途に適応可能な（例えば、スケーラブルな）センサは、後続の信号処理がより効率的かつ正確に働くことを可能にする。更に、こうした多用途センサを設けることによって、単一センサが、複数の用途においてコスト及び空間を節約するように動作し得る。
【００１１】
図１を参照すると、単純なスケーラブルな騒音及び振動センサは、センス信号１０２を供給する加速度センサ１０１を含み得るとともに、センス信号処理モジュール１０３を更に含む。センス信号処理モジュール１０３は、制御可能なカットオフ周波数を有するローパスフィルタ１０４（または代替的にバンドパスフィルタ）及び制御可能な利得を有する増幅器１０５を含む。図１に示す例において、ローパスフィルタ１０４は、加速度センサ１０１の下流側に接続されており、増幅器１０５は、ローパスフィルタ１０４の下流側に接続されている。増幅器１０５は、信号１０６を出力し、そのＢＤＰは、増幅器１０５及びローパスフィルタ１０４を制御することによって制御され得る。しかし、代替の騒音及び振動センサ（図示せず）において、増幅器１０５は、加速度センサ１０１の下流側に、かつローパスフィルタ１０４の上流側に接続されてもよく、ローパスフィルタ１０４は出力信号１０６を出力する。２つの場合のいずれにおいても、ローパスフィルタ１０４及び増幅器１０５は、制御モジュール１０７によって制御されてもよく、制御モジュール１０７は、センス信号１０２の帯域幅及びダイナミックを、ダイナミックが減少するときに帯域幅が増加するように、また、その逆になるように制御信号１０８に従って調整する。
【００１２】
加速度センサ１０１は、センス信号１０２がアナログまたはデジタル信号であることを意味するアナログまたはデジタルセンサであってよい。アナログセンス信号１０２の場合、センス信号処理モジュール１０３は、例えば、アナログフィルタ及び増幅器を有するアナログ信号処理だけ、または図３及び４に関連して以下で述べるミクスト（アナログ及びデジタル）シグナル処理を使用してもよい。デジタルセンス信号１０２の場合、センス信号処理モジュール１０３は、デジタル信号処理だけを使用してもよい。例えば、ローパスフィルタ１０４はデジタルフィルタであってもよく、増幅器１０５は、乗算器、シフタ等であってもよい。増幅器１０５に対して付加的にまたは代替的に、デジタル的に動作するセンス信号処理モジュール１０３は、ローパスフィルタ１０４及び増幅器１０５の下流側に接続される制御可能な並列・直列変換器１０９を含んでもよく、並列・直列変換器１０９は、サンプルレートが、狭い帯域幅ほど低くなり、広い帯域幅ほど高くなるように制御信号１０８に応じて制御モジュール１０７によって制御される。デジタル信号処理は、デジタルハードウェアまたはソフトウェアとして、あるいはハードウェアまたはソフトウェアの組合せとして実装されてもよい。
【００１３】
例えば、出力信号１０６を送信するデジタル配線（例えば、バス）が最大データ伝送レートＸを有し、各データサンプルがビット数Ｎで量子化され、ローパスフィルタ１０４がｆｃの高域カットオフ周波数を有し、サンプリングレートｆｓがｆｃの値の２倍を少なくとも有する場合、以下の関連性が成立する：Ｎ・ｆｓ≦Ｘ。そのため、センス信号１０２のサンプリングレート、したがって、帯域幅が減少し、同時に、ビット数Ｎ、したがって、ダイナミックが増加して、（また、その逆が行われて）上記要件を満たし続ける。
【００１４】
図２は、ダイナミックＤ１が小さくかつ帯域幅Ｂ１が大きいとき（グラフ２０１）、及び、ダイナミックＤ２が大きくかつ帯域幅Ｂ２が小さいとき（グラフ２０２）の２つのセンサ出力信号についての帯域幅とダイナミックとの関係を示す振幅対周波数の図である。一定のＢＤＰを維持するには、帯域幅Ｂ１とダイナミックＤ１との積は、帯域幅Ｂ２とダイナミックＤ２との積に等しくなければならず、それは、Ｂ１・Ｄ１＝Ｂ２・Ｄ２＝ＢＤＰ＝一定を意味する。デジタル信号処理において、ビット数Ｎは振幅を表す。本例において、帯域幅Ｂ１は帯域幅Ｂ２の２倍であり、ダイナミックＤ２はダイナミックＤ１の２倍であり、デジタル処理の場合、帯域幅Ｂ１に対応するサンプリングレート（周波数）Ｓ１は、帯域幅Ｂ２に対応するサンプリングレート（周波数）Ｓ２の２倍である。
【００１５】
図３は、ミクストシグナル処理を有する、例示的な、スケーラブルな騒音及び振動センサを示す。図３に示す騒音及び振動センサは、アナログセンス信号３０２を供給するアナログ加速度センサ３０１と、制御可能なカットオフ周波数を有するアナログローパスフィルタ３０４を含むセンス信号処理モジュール３０３と、制御可能な利得を有するアナログ増幅器３０５とを含む。ローパスフィルタ３０４は加速度センサ３０１の下流側に接続されており、増幅器３０５はローパスフィルタ３０４の下流側に接続されている。制御可能なサンプルレートを有するサンプルホールド要素３０６は、増幅器３０５の下流側に接続されている。サンプルホールド要素３０６は、増幅器３０５のアナログ出力信号からのアナログ値を有する時間離散サンプルを発生する。
【００１６】
アナログ値を有する時間離散サンプルは、アナログ・デジタル変換器３０７によって、デジタル（バイナリ）値を有する時間離散サンプルに変換され、アナログ・デジタル変換器３０７は、ビット数Ｎを並列データフォーマットで出力してもよい。並列フォーマット化データは、オプションの並列・直列変換器３０８によって直列フォーマットに変換されてもよく、並列・直列変換器３０８は、ビット数Ｎに依存するビットレートと、サンプルホールド要素３０６のサンプルレートｆｓとを有する直列データストリーム３０９を出力する。ローパスフィルタ３０４のカットオフ周波数、したがって帯域幅、増幅器３０５の増幅度、及びサンプルホールド要素３０６のサンプルレートは、ローパスフィルタ３０４の狭い帯域幅ほど、サンプルホールド要素３０６のサンプルレートが低く、かつ増幅器３０５の増幅度が高くなるように、一方、ローパスフィルタ３０４の広い帯域幅ほど、サンプルホールド要素３０６のサンプルレートが高く、かつ増幅器３０５の増幅度が低くなるように、制御信号３１１に応じて制御モジュール３１０によって制御される。
【００１７】
代替的に、ローパスフィルタ３０４は、少なくとも高域カットオフ周波数が制御可能であるバンドパスフィルタによって置換されてもよく、増幅器３０５は、加速度センサ３０１の下流側に、かつローパスフィルタ３０４の上流側に接続されてもよいため、サンプルホールド要素３０６は、ローパスフィルタ３０４の下流側に接続される（代替法は示されない）。増幅器３０５を制御することに対して代替的にまたは付加的に、アナログ・デジタル変換器３０７は、制御モジュール３１０によって制御されて、ローパスフィルタ３０４が広い帯域幅用に設定されるとアナログ・デジタル変換器３０７によって出力されるビット数Ｎを減少することを可能にしてもよく、一方、最大ビット数Ｎは、小さな帯域幅が選択されるときに使用されてもよい。更に、増幅器３０５は、オプションであってもよい、すなわち、アナログ・デジタル変換器３０７が上述したように制御される場合に省略され得る。
【００１８】
図４を参照すると、ミクストシグナル処理を有する、別の例示的な、スケーラブルな騒音及び振動センサは、アナログセンス信号４０２を供給するアナログ加速度センサ４０１及び１つの（または複数の）固定カットオフ周波数を有するアナログローパスフィルタ４０４（またはバンドパスフィルタ）を含むセンス信号処理モジュール４０３、固定サンプル周波数を有する後続のサンプルホールド要素４０５及び固定ビット数Ｎを有する後続のアナログ・デジタル変換器４０６を含む。ローパスフィルタ４０４の固定カットオフ周波数、サンプルホールド要素４０５の固定サンプルレート、及びアナログ・デジタル変換器４０６の固定ビット数Ｎは、騒音及び振動センサが送出し得る最大ダイナミック及び最大帯域幅の再生を可能にする値に設定される。サンプルホールド要素４０５は、ローパスフィルタ４０４のアナログ出力信号からのアナログ値を有する時間離散サンプルを発生する。アナログ値を有する時間離散サンプルは、アナログ・デジタル変換器４０６によって、デジタル（バイナリ）値を有する時間離散サンプルに変換され、アナログ・デジタル変換器４０６は、ビット数Ｎを並列データフォーマットで出力してもよい。アナログ加速度センサ４０１の代わりに、アナログローパスフィルタ４０４、サンプルホールド要素４０５、アナログ・デジタル変換器４０６、及びデジタル加速度センサ（図示せず）が使用されてもよい。
【００１９】
センス信号処理モジュール４０３は、制御可能なカットオフ周波数を有するデジタルローパスフィルタ４０７、制御可能な（変更可能な）出力ビットレートを有するサンプルレート変換器４０８、制御可能な（変更可能な）出力ビット数を有するオプションのビット数低減器４０９、及びオプションの並列・直列変換器４１０を更に含む。デジタルローパスフィルタ４０７のカットオフ周波数、したがって帯域幅、サンプルレート変換器４０８の出力サンプルレート、及びビット数低減器４０９のビット数は、ローパスフィルタ４０７の狭い帯域幅ほど、サンプルレート変換器４０８の出力サンプルレートが低く（かつ、ビット数低減器４０９によって出力されるビット数が高く）なるように、一方、ローパスフィルタ４０７の広い帯域幅ほど、サンプルレート変換器４０８の出力サンプルレートが高く（かつ、ビット数低減器４０９によって出力されるビット数が低く）なるように、制御信号４１２に応じて制御モジュール４１１によって制御される。一例として、一定のＢＤＰが所望される場合、帯域幅Ｗにおいて、サンプルレートは、例えば、Ｒ[ｌ／ｓ]であり、ビット数は、例えば、Ｂ[ビット]であってもよいため、ＢＤＰ＝Ｒ・Ｂ[ビット／ｓ]であり、帯域幅４Ｗにおいて、サンプルレートは、例えば、４Ｒ[ｌ／ｓ]であり、ビット数は、例えば、０．２５Ｂ[ビット]であってもよいため、ＢＤＰ＝４Ｒ・０．２５Ｂ[ビット／ｓ]＝Ｒ／Ｂ[ビット／ｓ]である。したがって、並列・直列変換器４１０は、騒音及び振動センサの２つの異なる動作モードについて一定のビットレートを有するデジタル信号４１３を出力する。
【００２０】
ビット数低減器４０９であって、対応する制御信号に応じて利用可能な全てのビットをまたはその一部だけを、その入力からその出力に転送してもよいビット数低減器４０９の代わりに、アナログ・デジタル変換器４０６は、各制御信号に応じてビット数を低減するため、ビット数の一部をスイッチオフすることを可能にするように設計されてもよい。
【００２１】
図１〜４に関連して上述したセンサ等の、例示的な、スケーラブルな騒音及び振動センサ５０１は、図５に示すように、マルチプレクサ５０２を介してＲＮＣシステム５０３及びＥＮＣシステム５０４に接続されてもよい。信号分配制御モジュール５０６は、図１、３、及び４に関連して上述した制御信号１０８、３１１、及び４１２等の制御信号５０７を制御し、制御信号５０７は、ＲＮＣシステム５０３がマルチプレクサ５０２を介して騒音及び振動センサ５０１に接続されるときに、騒音及び振動センサ５０１が、高いダイナミック及び狭い信号帯域幅を示すように制御されるよう、騒音及び振動センサ５０１とマルチプレクサ５０２とを制御する。しかし、マルチプレクサ５０２がＥＮＣシステム５０４を騒音及び振動センサ５０１に接続するとき、騒音及び振動センサ５０１は、低いダイナミック及び広い信号帯域幅を示すように制御される。制御信号５０７は、規則的に（例えば、周期的に）、またはＲＮＣシステム５０３及びＥＮＣシステム５０４の動作状態に応じて発生されてもよい。
【００２２】
図６を参照すると、例示的な騒音及び振動検知方法において、信号帯域幅は、センス信号の最低周波数と最高周波数との間に亘り、信号ダイナミックは、センス信号の最大振幅と加速度センサによって発生される出力ノイズフロアとの比である。本方法は、加速度センサ（例えば、センサ１０１、３０１、及び４０１等）によって、加速度センサに作用する加速度を表すセンス信号を発生すること（プロシージャ６０１）、及び、センス信号を処理することであって、それにより、調整可能な信号帯域幅及び調整可能な信号ダイナミックを有する処理済みセンス信号を供給する、処理すること（プロシージャ６０２）を含む。本方法は、信号ダイナミックが減少するときに信号帯域幅が増加するように、また、その逆になるように制御信号に従って信号帯域幅及び信号ダイナミックを調整すること（プロシージャ６０３）を更に含む。
【００２３】
実施形態の説明は、例証及び説明のために提示された。実施形態に対する適した修正及び変形が、上記説明を考慮して実施されてもよい、または、本方法を実施することによって取得されてもよい。例えば、別途述べられない限り、述べる方法の１つまたは複数は、適したデバイス及び／またはデバイスの組合せによって実施されてもよい。述べる方法及び関連する行為は、同様に、本出願において述べた順序に加えて種々の順序で、並列に、及び／または同時に実施されてもよい。述べるシステムは、本質的に例示であり、更なる要素を含んでもよい、及び／または要素を省略してもよい。
【００２４】
本出願で使用するとき、単数で挙げられ、また、ワード「ａ」または「ａｎ」で先行される要素またはステップは、複数の前記要素またはステップを排除しないものとして、こうした排除が述べられない限り理解されるべきである。更に、本開示の「一実施形態」または「一実施例」に対する参照は、挙げる特徴を同様に組込む更なる実施形態の存在を排除するものとして解釈されることを意図されない。用語「第１の」、「第２の」、及び「第３の」は、単にラベルとして使用され、それらのオブジェクトに数値要件または特定の位置的順序を課すことを意図されない。添付特許請求の範囲は、新規でかつ非自明であると見なされる上記開示から主題を特に指摘する。
【図１】
0006778741.tif 000002
【図２】
0006778741.tif 000003
【図３】
0006778741.tif 000004
【図４】
0006778741.tif 000005
【図５】
0006778741.tif 000006
【図６】
0006778741.tif 000007